(57)【要約】【課題】軽量で衝撃吸収性に優れ、かつ曲げ変形や捩れ変形に対する強度と復元力とに優れて、曲がり過ぎや捩れ過ぎを抑制し得る高強度でしなやかに変形する靴底を有した、軽量で履き心地が良く、疲労の可及的な軽減化が図れるシューズを提供すること。【解決手段】合成樹脂製のアウターソール４の上面に軟質弾性体製のミッドソール６が貼り合わされた靴底８を有するシューズ２において、該ミッドソール６上面の土踏まず対応部分１２には繊維強化樹脂シートからなる上部補強シート１４が貼着されているとともに、該ミッドソール６とアウターソール４との間の土踏まず対応部分１２にも繊維強化樹脂シートからなる下部補強シート１６が貼着されて介在されている。下部補強シート１６のつま先側端縁１６ａは、上部補強シート１４のつま先側端縁１４ａよりもさらにつま先側に向けて延出されて、足指の第３関節から第４関節にかけての範囲に相当する部位に達している。【選択図】  図４
2008018167.tif 000002
【特許請求の範囲】
【請求項１】
合成樹脂製のアウターソールの上面に軟質弾性体製のミッドソールが貼り合わされた靴底を有するシューズであって、該ミッドソールの上面には繊維強化樹脂シートからなる上部補強シートが貼着されているとともに、該ミッドソールとアウターソールとの間の土踏まず対応部分にも繊維強化樹脂シートからなる下部補強シートが介在されていることを特徴とするシューズ。
【請求項２】
前記下部補強シートのつま先側端縁が、前記上部補強シートのつま先側端縁よりもさらにつま先側に向けて延出されて、足指の第３関節から第４関節にかけての範囲に相当する部位に達していることを特徴とする請求項１に記載のシューズ。
【請求項３】
前記ミッドソールの上面側に、前記上部補強シートよりもつま先側と踵側との2箇所に位置させて、その踵部位と足指のボール部相当部分とに、該ミッドソールよりもさらに軟質な発泡樹脂製のクッション材を配設したことを特徴とする請求項１また２のいずれかに記載のシューズ。
【発明の詳細な説明】
【技術分野】
【０００１】
この発明は、軽量で衝撃吸収性に優れるとともに、曲げや捩れ等の変形に対する適度な強度と復元力とを具備して、曲がり過ぎや捩れ過ぎを抑制しつつしなやかに変形し得る履き心地に優れた靴底を有したシューズに関する。
【背景技術】
【０００２】
近年にあっては、軽量化と衝撃吸収性との向上を図るために、合成樹脂製のアウターソールの上面に軟質弾性体製のミッドソールを貼り合わせて形成した靴底を具備した各種のシューズが普及している。このような柔らかい靴底を具備したシューズにあっては、土踏まず対応部分の捻れ過ぎや曲がり過ぎを防止して疲労の軽減を図るために、当該土踏まず対応部分にはシャンクと呼ばれる補強部材を設けている。
【０００３】
例えば、特開平９−２３８７０４号公報にて示されるシューズにあっては、２ｍｍ前後の厚みを有する繊維強化樹脂板を靴幅方向にアーチ状に湾曲させて立体的に形成したシャンクを土踏まず対応部分に埋設させている。
【０００４】
また、上記のような板状のシャンクを埋設せずに、ミッドソール上面の土踏まず対応部分に繊維強化樹脂シートを貼着して当該部位の曲げ変形や捻れ変形を抑制する様にしたシューズも既に市販されている。
【特許文献１】特開平９−２３８７０４号公報
【発明の開示】
【発明が解決しようとする課題】
【０００５】
しかしながら、上記した板状のシャンクを埋設したソール構造を有したシューズにあっては、土踏まず対応部分に十分な強度を与えて過度な曲げや捻れ変形が生じるのを抑制できるものの、硬くなり過ぎてしまう傾向があり、人間の足の動きに伴う関節部の屈曲変化に追随して変形し難くなってしまい、もって歩行時に踵の浮き上がりが生じる等、その歩行性が阻害されて歩き難くなってしまうという課題があった。
【０００６】
一方、ミッドソール上面の土踏まず対応部分に繊維強化樹脂シートを貼着したソール構造を有したシューズにあっては、人間の足の動きに伴う関節部の屈曲変化に追随変形して足にフィットし易いものの、斜面や小さな不陸のある路面で捻れや曲げ等の過度な変形が生じるのを抑制するに十分な硬さが得づらく、足裏の土踏まずにたまる疲労の軽減性に改善が求められていた。
【０００７】
また、上記各ソール構造を具備したそれぞれのシューズにあっては、双方ともに、砂利道や石畳路等の様な小さな凹凸が連続する路面を歩行もしくは走行すると、その凹凸による局所的な突き上げ力の緩衝性が低く、足裏の踏みつけ部分に当該突き上げ力が直接的に伝わりやすいという課題もあった。
【０００８】
本発明は、上記課題に鑑みてなされたものであって、その目的とするところは、軽量で衝撃吸収性に優れ、かつ曲げや捩れ等の変形に対する適度な強度と復元力とを具備して、曲がり過ぎや捩れ過ぎを抑制しつつしなやかに変形し得る靴底を有した、履き心地が良く疲労の可及的な軽減化が図れるシューズを提供することにある。また、路面の小さな凹凸による局所的な突き上げ力の緩衝性に優れた靴底を有した、履き心地が良く疲労の可及的な軽減化が図れるシューズを提供することにある。
【課題を解決するための手段】
【０００９】
上記の目的を達成するためにこの発明にあっては、合成樹脂製のアウターソールの上面に軟質弾性体製のミッドソールが貼り合わされた靴底を有するシューズにおいて、該ミッドソール上面の土踏まず対応部分に繊維強化樹脂シートからなる上部補強シートを貼着するとともに、該ミッドソールとアウターソールとの間の土踏まず対応部分にも繊維強化樹脂シートからなる下部補強シートを介在させたことを特徴とする。
【００１０】
ここで、前記下部補強シートはそのつま先側端縁が、前記上部補強シートのつま先側端縁よりも、さらにつま先側に向けて延出されて、足指の第３関節から第４関節にかけての範囲に相当する部位に達している構成となすのが望ましい。
【００１１】
また、前記ミッドソールの上面側に、前記上部補強シートよりもつま先側と踵側との２箇所に位置させて、その踵部位と足指のボール部相当部分とに、該ミッドソールよりも軟質な発泡樹脂製のクッション材を配設することが望ましい。
【発明の効果】
【００１２】
本発明に係るシューズによれば、軟質弾性体製のミッドソール上面の土踏まず対応部分に繊維強化樹脂シートからなる上部補強シートを貼着して設けるばかりか、当該ミッドソールとアウターソールとの間の土踏まず対応部分にも繊維強化樹脂シートからなる下部補強シートを介在させて設けているので、ミッドソールの厚み方向の衝撃吸収性を維持しつつ、曲げ変形や捩れ変形時に生じる引っ張り力に対する上面側と下面側との強度を著しく向上させることができる。このため、衝撃吸収性を維持したまま、曲げ変形や捩れ変形に対する強度（耐力）と復元力とに優れて、曲がり過ぎや捩れ過ぎを抑制し得る適度な強度を有してしなやかに変形する靴底を具備した、軽量で履き心地が良く、疲労の可及的な軽減化が図れるシューズを提供できる。また、経時使用による土踏まず対応部分の永久変形（型くずれ）の発生を防止できるようになる。
【００１３】
また、下部補強シートのつま先側端縁を、足指の第３関節から第４関節にかけての範囲に相当する部位までつま先側に向けて延出させれば、砂利路面や石畳路面等のような小さな凹凸がある路面で、当該凹凸による足裏踏み付け部への局所的な突き上げ力を下部補強シートによってその周囲に分散させて大きな面積で吸収することができ、もって疲労の軽減化を可及的に図れるようになる。また、下部補強シートの復元力により、爪先上がりの形状を元の状態に戻すことができ、経時使用による永久変形（型くずれ）の発生を防止できるようになる。
【００１４】
さらに、ミッドソールの上面側に、前記上部補強シートよりもつま先側と踵側との2箇所に位置させて、その踵部位と足指のボール部相当部分とに、該ミッドソールよりも軟質な発泡樹脂製のクッション材を配設すれば、足裏の踏み付け部分形状により一層柔軟にフィットする、衝撃吸収性に優れて疲労度を可及的に軽減できる履き心地の良いシューズを提供することができる。
【発明を実施するための最良の形態】
【００１５】
以下に、本発明に係るシューズの好適な実施の形態について、ウォーキングシューズを例示して添付図面に基づき詳述する。図１は本発明に係るシューズの靴底を示す裏面図であり、図２（ａ）は図１の左側面図、同図（ｂ）は図１の右側面図、図３は本発明に係るシューズの靴底を示す平面図、図４は図１中のＡ−Ａ線にて示す靴長方向の縦断面図、図５は図１中のＢ−Ｂ線にて示すつま先側踏み付け部分の靴幅方向の縦断面図、図６は図１中のＣ−Ｃ線にて示すつま先側踏み付け部分の靴幅方向の縦断面図、図７は図１中のＤ−Ｄ線にて示す土踏まず対応部分の靴幅方向の縦断面図、図８は図１中のＥ−Ｅ線にて示す土踏まず対応部分の靴幅方向の縦断面図、図９は図１中のＦ−Ｆ線にて示す踵部の靴幅方向の縦断面図である。
【００１６】
図１、図２に示すように、このウォーキングシューズ２の底面、つまり接地時の踏み面にはアウターソール４が設けられている。このアウターソール４には軟質な合成樹脂材料が使用されている。合成樹脂材料としては、ゴム、ウレタンなどである。そして、図３〜図９の各図に示すように、この軟質な合成樹脂製のアウターソール４の上面には、発泡ポリウレタンやＥＶＡ等の衝撃吸収性に優れた軟質弾性体製のミッドソール６が張り合わされて靴底８が形成されている。そして、当該アウターソール４の周縁には、上方に立ち上がってミッドソール６の上面よりも上方に突出する立ち上がり部４ａが形成されており、この立ち上り部４ａに図外のアッパー部材の下縁部が一体的に貼り付けられてシューズ２が形成されるようになっている。
【００１７】
ここで、図３、図４、図５、図６の各図から分かるように、上記ミッドソール６の上面には、つま先側に位置する足指の第３関節部周辺のボール部相当部分（踏みつけ部分）に凹部９ａが形成されており、この凹部９ａには当該ミッドソール６よりも軟質な発泡樹脂製のクッション材１０ａが設けられている。
【００１８】
また、図３、図４、図９の各図から分かるように、上記ミッドソール６の上面には、踵側に位置する踵相当部分に凹部９ｂが形成されており、この凹部９ｂにも当該ミッドソール６よりも軟質な発泡樹脂製のクッション材１０ｂが設けられている。
【００１９】
また、図２と図４とから分かるように、ミッドソール６とアウターソール４とからなる靴底８の土踏まず対応部分１２は、下面側が上方に凹まされてアーチ状に湾曲形成されている。そして、このアーチ状の土踏まず対応部分１２におけるミッドソール６の上面には、図３、図４、図７、図８に示すように、繊維強化樹脂シートからなる上部補強シート１４が貼着されている。即ち、この実施形態では、当該上部補強シート１４は、図3と図4とに示すように、土踏まず対応部分１２のつま先側端部から踵側端部にかけての範囲にのみ配設されており、上記クッション材１０ａは上部補強シート１４よりもつま先側と踵側との2箇所に位置されて、踵部位と足指のボール部相当部分との足裏の踏み付け部分に配設されている。
【００２０】
ここで、本実施の形態では、当該繊維強化シートにはカーボン繊維強化シート、具体的には、炭素繊維の織布（クロス）を強化材とし、熱可塑性のアクリル樹脂をマトリックスとして０．３mm程の厚みで形成された炭素繊維複合材料材である三菱レイヨン株式会社製の「パイロフィルシート（ＴＲ３１１０）」を用いている。なお、この実施形態では炭素繊維強化樹脂シートを採用しているが、ガラス繊維やアラミド繊維、ケブラー繊維等を用いた繊維強化樹脂シートも採用し得る。また、マトリックスは熱硬化性のエポキシなどでも良い。
【００２１】
また、図３〜図8の各図から分かるように、ミッドソール６とアウターソール４との間の土踏まず対応部分１２にも上記繊維強化樹脂シートと同材料からなる下部補強シート１６が貼着されて介在されている。つまり、図4と図7と図8とに示されているように、ミッドソール６の土踏まず対応部分１２は、その上下面が上部補強シート１４と下部補強シート１６との2枚の繊維強化樹脂シートで挟まれたサンドイッチ構造となっている。なお、この実施形態では上部補強シート１４と下部補強シート１６とには同一材料の繊維強化樹脂シートを用いているが、異種材料からなる繊維強化樹脂シートを組み合わせて用いる様にしても良い。
【００２２】
そして、この下部補強シート１６は、図3と図4とに示されるように、そのつま先側端縁１６ａが上部補強シート１４のつま先側端縁１４ａよりもさらにつま先側に向けて延出されていて、足指の第２指の第３関節から第４関節にかけての範囲、つまり基節骨のつま先側端と踵側端との両端にある2つの関節部間に亘った範囲に相当した、踏み付け部位にまで達っせられている。
【００２３】
ここで、図3に示してあるように、当該第３関節から第４関節にかけての範囲に相当する踏み付け部位は、各種の靴サイズのものにおいて、それぞれの基準足長をｌとすれば、この足長ｌに対してその踵側端部を基準点として７５〜９０%の長さ（０．７５ｌ〜０．９ｌ）の範囲に相当し、当該範囲内に下部補強シート１６のつま先側端縁１４ａが位置する様に設定される。また、下部補強シート１６の踵側端縁１６ｂは、同じく踵側端部を基準点として３０〜４５%の長さ（０．３ｌ〜０．４５ｌ）の範囲内に位置する様に設定される。そして、当該範囲は横断面視でみると、踵骨のつま先側約１／３に当たる部分と、これよりもややつま先側に当たる部分との範囲に相当する。なお、下部補強シート１６と上部補強シート１４とは共にその足幅方向の寸法は、それらが貼着される部位における各部幅寸法の３５%以上に、もしくは、踏み付け部対応部分は５０％以上で土踏まず対応部分１２は３５％以上に設定される。
【００２４】
また、本実施形態では、図１に示すように、アウターソール４の土踏まず対応部分１２には、下部補強シート１６を視認できるように窓部１８が開口形成されており、この窓部１８には下部補強シート１６の表面を覆う透明な保護カバー部材２０が貼着されている。
【００２５】
従って、以上のように構成される本実施形態のシューズ２にあっては、図3と図4とに示すように、軟質弾性体製のミッドソール６上面の土踏まず対応部分に繊維強化樹脂シートからなる上部補強シート１４を貼着して設けるばかりか、当該ミッドソール６とアウターソール４との間の土踏まず対応部分１２にも繊維強化樹脂シートからなる下部補強シート１６を介在させて設けているので、ミッドソール６の厚み方向の衝撃吸収性を維持しつつ、当該ミッドソール６の曲げ変形や捩れ変形時に生じる引っ張り力に対する上面側と下面側との強度を著しく向上させることができる。このため、衝撃吸収性を維持したまま、曲げ変形や捩れ変形に対する強度（耐力）と復元力とを向上させることができ、もって曲がり過ぎや捩れ過ぎを抑制し得る適度な強度を有してしなやかに変形する靴底が得られる。これ故、軽量で履き心地が良く、疲労の可及的な軽減化が図れるシューズ２を提供できるようになる。また、経時使用による土踏まず対応部分１２の永久変形（型くずれ）の発生を防止できるようになる。
【００２６】
また、図3と図4とに示すように、下部補強シート１６のつま先側端縁１６ａを、足指の第３関節から第４関節にかけての範囲に相当する足裏踏み付け部位までつま先側に向けて延出させているので、砂利路面や石畳路面等のような小さな凹凸がある路面で、当該凹凸による足裏踏み付け部位への局所的な突き上げ力を下部補強シート１６によってその周囲に分散させて大きな面積で吸収することができる。このため疲労の軽減化を可及的に図れるようになる。また、下部補強シート１６の復元力により、爪先上がりに大きく変形してもその形状を元の状態に戻すことができ、経時使用による永久変形（型くずれ）の発生を防止できるようになる。更には、歩行時等の蹴り出しの際に、足のつま先側の踏み付け部分が土踏まず対応部分１２に対して９０°近くまで曲げられても、その足裏の屈曲形状変化に追随させてしなやかに靴底８を変形させられるばかりか、その変形の復元力を前進方向への蹴り出し力として利用して、歩行のサポートを行わせることができる。
【００２７】
さらに、図３と図4とに示すように、ミッドソール６の上面側に、前記上部補強シート１４よりもつま先側と踵側との2箇所に位置させて、その踵部位と足指のボール部相当部分とに、ミッドソール６よりも軟質な発泡樹脂製のクッション材１０ａ，１０ｂを配設しているので、足裏の踏み付け部分の形状にミッドソール６をより一層柔軟にフィットさせて、衝撃吸収性の更なる向上と疲労度の可及的な軽減化を図ることができ、履き心地の良いシューズ２となすことができる。
【産業上の利用可能性】
【００２８】
本発明は上記実施例にて説明したウォーキングシューズだけでなく、日常のタウンユースのシューズやジョギングシューズの他、多種のいかなるスポーツ種目のシューズ、たとえばゴルフシューズ、テニスシューズ、バドミントンシューズにも適用することができ、その利用範囲は広い。
【図面の簡単な説明】
【００２９】
【図１】本発明に係るシューズの靴底を示す裏面図。
【図２】（ａ）は図１の左側面図、（ｂ）は図１の右側面図。
【図３】本発明に係るシューズの靴底を示す平面図。
【図４】図１中のＡ−Ａ線にて示す靴長方向の縦断面図。
【図５】図１中のＢ−Ｂ線にて示すつま先側踏み付け部分の靴幅方向の縦断面図。
【図６】図１中のＣ−Ｃ線にて示すつま先側踏み付け部分の靴幅方向の縦断面図。
【図７】図１中のＤ−Ｄ線にて示す土踏まず対応部分の靴幅方向の縦断面図。
【図８】図１中のＥ−Ｅ線にて示す土踏まず対応部分の靴幅方向の縦断面図。
【図９】図１中のＦ−Ｆ線にて示す踵部の靴幅方向の縦断面図。
【符号の説明】
【００３０】
２    シューズ
４    アウターソール
６    ミッドソール
８    靴底
１０ａ  クッション材（つま先側）
１０ｂ  クッション材（踵側）
１２    土踏まず対応部分
１４    上部補強シート
１４ａ  つま先側端縁
１４ｂ  踵側端縁
１６    下部補強シート
１６ａ  つま先側端縁
１６ｂ  踵側端縁
【図１】
2008018167.tif 000003
【図２】
2008018167.tif 000004
【図３】
2008018167.tif 000005
【図４】
2008018167.tif 000006
【図５】
2008018167.tif 000007
【図６】
2008018167.tif 000008
【図７】
2008018167.tif 000009
【図８】
2008018167.tif 000010
【図９】
2008018167.tif 000011